(57)【要約】【課題】高度な処理を必要とせず、安価でかつ印刷品質を改善する印刷搬送装置を実現すること。【解決手段】データをラインごとに印刷媒体に印刷する印刷搬送装置であって、印刷ヘッドに印刷エネルギーを印加する印加部と、印刷ラインにおける印字率が閾値を越えているか否かを判定する印字率判定部と、印字率判定部による印刷ラインにおける印字率の判定結果に基づいて、印加部による印刷ヘッドに対する印刷エネルギーの同時印加数を調整する制御部と、を備える。【選択図】  図２
2014136373.tif 000002
【特許請求の範囲】
【請求項１】
データをラインごとに印刷媒体に印刷する印刷搬送装置であって、
印刷ヘッドに印刷エネルギーを印加する印加部と、
印刷ラインにおける印字率が閾値を越えているか否かを判定する印字率判定部と、
前記印字率判定部による前記印刷ラインにおける印字率の判定結果に基づいて、前記印加部による前記印刷ヘッドに対する前記印刷エネルギーの同時印加数を調整する制御部と、
を備えることを特徴とする印刷搬送装置。
【請求項２】
前記制御部は、前記印刷率判定部が前記印刷ラインにおける印字率が閾値を越えていないと判定した場合、前記印加部による前記印刷ヘッドに対する前記印刷エネルギーの同時印加数を増加させるとともに、前記印刷媒体を搬送させる駆動部の搬送速度を速くする、
ことを特徴とする請求項１に記載の印刷搬送装置。
【請求項３】
前記制御部は、前記印刷率判定部が前記印刷ラインにおける印字率が閾値を越えていると判定した場合、前記印加部による前記印刷ヘッドに対する前記印刷エネルギーの同時印加数を減少させるとともに、前記印刷媒体を搬送させる駆動部の搬送速度を遅くする、
ことを特徴とする請求項１または２に記載の印刷搬送装置。
【請求項４】
前記印字率判定部は、印刷ラインおよび前記印刷ラインより前の印刷ラインにおける印字率が閾値を越えているか否かを判定し、
前記制御部は、前記印字率判定部による前記印刷ラインおよび前記前の印刷ラインにおける印字率がいずれも前記閾値を越えている場合には、前記印刷エネルギーが高い状態が続いていると判断し、前記印加部による前記印刷ヘッドに対する前記印刷エネルギーの同時印加数を減少させる、
ことを特徴とする請求項１〜３のいずれか１項に記載の印刷搬送装置。
【請求項５】
データをラインごとに印刷媒体に印刷する印刷搬送装置であって、
印刷ヘッドに印刷エネルギーを印加する印加部と、
印刷ラインにおける印字率が前記印刷搬送装置の電源容量の許容範囲を示す閾値を越えているか否かを判定する印字率判定部と、
前記印字率判定部による前記印刷ラインにおける印字率の判定結果に基づいて、前記印加部による前記印刷ヘッドに対する前記印刷エネルギーの同時印加数を調整する制御部と、
を備えることを特徴とする印刷搬送装置。
【請求項６】
前記制御部は、前記印刷率判定部が前記印刷ラインにおける印字率が閾値を越えていると判定した場合、前記電源容量を越えないように前記印加部による前記印刷ヘッドに対する前記印刷エネルギーの同時印加数を分割する、
ことを特徴とする請求項５に記載の印刷搬送装置。
【請求項７】
前記制御部は、前記印刷率判定部が前記印刷ラインにおける印字率が閾値を越えていないと判定した場合、前記印加部による前記印刷ヘッドに対する前記印刷エネルギーの同時印加数を増加させるとともに、前記印刷媒体を搬送させる駆動部の搬送速度を速くする、
ことを特徴とする請求項１に記載の印刷搬送装置。
【請求項８】
前記印字率判定部は、時定数回路を含むアナログ回路によって構成されている、
ことを特徴とする請求項１〜７のいずれか１項に記載の印刷搬送装置。
【発明の詳細な説明】
【技術分野】
【０００１】
本発明は、複数の発熱素子をライン上に有した印刷ヘッドで印刷動作を行う装置の性能向上技術に関する。
【背景技術】
【０００２】
従来複数の発熱素子をライン上に有した印刷ヘッドを搭載した印刷搬送装置では、印刷媒体を搬送させる駆動モータ（以下、搬送モータと称す。）の進相に同期させて印刷動作を実施している。印刷ヘッドの印刷分解性能として1ミリ値の印刷ドット数を表すドットピッチが存在し、搬送モータの性能として、1進相あたりの距離が1ステップとして存在しており、印刷ヘッドのドットピッチと搬送モータの1ステップが逓倍比率となるように設計される。
【０００３】
印刷ヘッドと搬送モータの関係上、媒体に印刷する際の印刷エネルギーは、搬送モータの1ステップ時間以内に印刷ヘッドに印加しなければならないが、1ラインの発熱素子の数に対し、印刷エネルギーを発熱素子に印加して、発熱させる数を印刷データ1ラインあたりの印字率とすると、当該装置の電源仕様によっては、印字率が高い場合に電源容量を超過する印刷エネルギーが必要となる場合が存在するため、搬送モータの搬送速度を落として1ラインあたりの処理時間を増加させ、発熱させる素子の数を分割して印刷エネルギーのピーク値を落とし、電源容量範囲内で印刷動作を実施するという方法が知られている。
【０００４】
本技術分野の従来技術としては、例えば、特許文献１がある。この従来技術によれば、印刷に際して印刷データの印字ドット数を計数し、計数された印字ドット数あるいはこの印字ドット数の印刷ラインあたりの平均値に応じて、搬送ローラによる印刷媒体の搬送速度又は印刷ヘッドが備える発熱素子への通電時間のいずれか一方を減少方向へ調整している。
【先行技術文献】
【特許文献】
【０００５】
【特許文献１】特開２０１０−２２１４３６号公報
【発明の概要】
【発明が解決しようとする課題】
【０００６】
しかしながら、上記特許文献１に記載されたサーマルプリンタにおいて、印刷データの印刷ドット数を計数し、印刷ラインあたりの平均値を算出するには、印刷動作とは別に処理時間を必要とし、前記特許文献１に開示された処理を実施するには、結果として印刷開始前の処理時間が増加することになる。仮に当該ラインの印刷動作中に、次の印刷データを受信して解析する、といった並列処理を行い、処理時間短縮を図ったとしても、制御部の処理の負荷は増大することになり、より処理能力の高い制御部を必要とする課題がある。
【０００７】
本発明は、上記に鑑みてなされたものであって、負荷を増大させることなく効率よく印字処理を実行可能とする印刷搬送装置を提供することを目的とする。
【課題を解決するための手段】
【０００８】
上述した課題を解決し、目的を達成するために、本発明にかかる印刷搬送装置は、データをラインごとに印刷媒体に印刷する印刷搬送装置であって、印刷ヘッドに印刷エネルギーを印加する印加部と、印刷ラインにおける印字率が閾値を越えているか否かを判定する印字率判定部と、前記印字率判定部による前記印刷ラインにおける印字率の判定結果に基づいて、前記印加部による前記印刷ヘッドに対する前記印刷エネルギーの同時印加数を調整する制御部と、を備えることを特徴とする。
【０００９】
また、本発明にかかる印刷搬送装置は、データをラインごとに印刷媒体に印刷する印刷搬送装置であって、印刷ヘッドに印刷エネルギーを印加する印加部と、印刷ラインにおける印字率が前記印刷搬送装置の電源容量の許容範囲を示す閾値を越えているか否かを判定する印字率判定部と、前記印字率判定部による前記印刷ラインにおける印字率の判定結果に基づいて、前記印加部による前記印刷ヘッドに対する前記印刷エネルギーの同時印加数を調整する制御部と、を備えることを特徴とする。
【発明の効果】
【００１０】
本発明によれば、負荷を増大させることなく効率よく印字処理を実行可能とする印刷搬送装置を提供することができる。
【図面の簡単な説明】
【００１１】
【図１Ａ】本発明を実施する場合の印刷搬送装置の構成例の概略図である。
【図１Ｂ】本発明を実施する場合の印刷搬送装置のブロック図である。
【図２】印刷ドットデータのパターンと印字率生成手段により生成される信号レベルとの関係例を表した図である。
【図３】印字率生成手段の構成例である（実施例１）。
【図４】実施例１における印刷処理手順のフローチャートである。
【図５】実施例２における印刷処理手順のフローチャートである。
【図６】印字率生成手段により、印刷時の消費電流の負荷分散を行う例を示す図である。
【図７】印字率生成手段の構成例である（実施例３）。
【図８】実施例３における印刷処理手順のフローチャートである。
【発明を実施するための形態】
【００１２】
以下に添付図面を参照して、本発明にかかる印刷搬送装置の実施の形態を詳細に説明する。
【実施例１】
【００１３】
本実施例では、印字率生成手段により、搬送速度を決定する例を説明する。図１Ａは、実施例１における印刷搬送装置１の構成例を示している。印刷搬送装置１は、主な構成として、ロール状連続紙２１をセットする給紙機構部２、給紙されるロール状連続紙２１を切断するためのロール紙切断機構部３、切断されたロール状連続紙２２(以下、媒体と称す。)に情報を印刷するための印刷機構部４、印刷された媒体２２を排出する排出機構部５、給紙機構部２から排出機構部５まで、ロール状連続紙２１および媒体２２を搬送する搬送ローラ６、搬送ローラ６を駆動する搬送モータ７、そして各部の駆動を制御する制御部１０を備えている。また、印刷機構部４内には、印刷ヘッド４１を備えている。
【００１４】
さらに、図１Ｂに示すように、制御部１０内には、中央演算ユニット１１（以下、ＣＰＵ１１と称す）、印刷データ転送手段１２、印字率生成手段１３、印刷ドット印加手段１４、搬送モータ駆動手段１５、上位ホストとの通信手段１６、印刷データを格納したり、印刷データの解析結果を格納する記憶領域１７を備えている。１ラインの印刷データは、通信手段１６を経由し、上位から記憶領域１７へ転送され、ドット単位の印刷データに変換後、印刷データ転送手段１２から出力される。出力された印刷データは、印刷ヘッド４１へ転送および、印字率生成手段１３に入力される。
【００１５】
図２は、印刷データのパターンに対するドットデータの波形と、印字率生成手段１３で処理された信号の関係例を示す。入力された1ラインの印刷データの波形は、発色ありを“Ｈ”レベル、発色なしを“Ｌ”レベルとすると、図２で示すようなドットデータのパターンを印字率生成手段１３内の時定数生成回路に入力することで、１ラインの全ドット数に対して発色ありのドット数の割合に応じたレベル信号を生成し、当該信号のレベルが１ラインの発色ドット率を示すことができる。以降、当該信号を印字率信号と定める。発色ありのドットデータが続けば続くほど、印字率信号のレベルが上昇していき、発色なしのドットデータが続けば続くほど、印字率信号のレベルは下降していく。
【００１６】
図３に、実施例１における印字率生成手段１３の回路構成例を示す。印字率信号生成回路は、抵抗やコンデンサなどを使用した時定数回路など、容易なアナログ回路で構成することができ、回路部品の定数によって印字率信号レベルの上昇率を変化させることで、印刷ヘッドの特性や、装置の仕様に合わせて最適化することが可能である。また、印字率信号とあらかじめ定めた任意のしきい値を比較し、当該印刷データの印字率を段階的に判定しても良い。
【００１７】
１ラインの印刷処理手順として、図４にフローチャートの例を示す。まず、搬送モータ駆動手段１５が搬送モータ７に進相割り込みをし（１−１ステップ）、ＣＰＵ１１が上位ホストから１ライン分の印刷データを受信し、記憶領域１７の任意のエリアに、受信した印刷データを格納する（１−２ステップ）。そして、印刷データ転送手段１２が、搬送モータ駆動手段１５から出力される進相契機で、１ラインの印刷データを記憶領域１６から印刷ヘッド４１へ転送すると同時に、印字率生成手段１３へ印刷データが入力される（１−３ステップ）。
【００１８】
印字率生成手段１３は、印刷データを時定数回路に入力し、印字率信号を生成し（１−４ステップ）、１ラインの印刷データが転送完了した時点で、印字率信号レベルが確定させる（１−４ステップ）。ＣＰＵ１１は、当該ラインの印刷データの印字率信号レベルと、任意のしきい値を比較して印字率を判定する（１−５ステップ）。
【００１９】
そして、ＣＰＵ１１は、当該印字率信号レベルがそのしきい値よりも低いか否かを判定し（１−５ステップ）、当該印字率信号レベルがそのしきい値よりも低いと判定した場合（１−５ステップ；Ｎｏ）、当該データに対する印字率が低いと判断し、印刷ドット印加手段１３により、印刷ヘッド４１の発熱体の同時印加ドット数を増加させる（１−６ステップ）。ＣＰＵ１１がこのような制御を行うことにより、１ラインあたりの印加時間を短縮することが可能となる。このように搬送モータ７の1進相あたりの処理時間を低減できるので、ＣＰＵ１１は、搬送モータ駆動手段１５により搬送速度を上げるように不図示の印加タイマをセットし、印刷処理性能を向上させる（１−８、１−９ステップ）。
【００２０】
一方、ＣＰＵ１１は、当該印字率信号レベルがそのしきい値よりも高い（低くない）と判定した場合（１−５ステップ；Ｙｅｓ）、当該データに対する印字率が高いと判断し、印刷ヘッド４１の発熱体の同時印加ドット数を減少させる（１−７ステップ）。ＣＰＵ１１がこのような制御を行うことにより、１−６ステップの場合に比べて1ラインあたりの印加時間が増加し、搬送モータ７の1進相当りの処理時間が増加するため、搬送速度を低下させるように不図示の印加タイマをセットし、１進相あたりに必要な処理がオーバフローしないように調整する（１−８、１−９ステップ）。
【００２１】
以上のように、従来問題となっていた印刷データを複数ライン解析して、搬送速度を算出する場合に発生する処理能力の低下といった課題を解決するだけでなく、容易な回路構成である印字率生成手段は、アナログデータを活用することで、様々な効果を発揮できる。具体的には、ＣＰＵ１１が複数ラインの印刷データを解析する、といった複雑な処理を実行することなく、印字率生成手段１３から出力される印字率信号レベルの判定のみで、媒体２２の印刷中の搬送速度の調整が可能である。
【００２２】
なお、印字率信号レベルの判定は、「低い／高い」の２段階だけではなく、印字率生成手段１３として比較器を複数追加し、しきい値を複数段階設けて切り替えることで、印字率に対して段階的に搬送速度を追従させても良い。
【００２３】
また、ＣＰＵ１１の処理内容は、印字率生成手段１３の印字率信号を読み取り、搬送速度にフィードバックを行うのみであり、従来技術である印刷データの複数ラインを解析するよりも遥かに処理負荷が小さくなり、処理時間も短縮できるので、従来技術と比較して、さらに搬送速度を向上させることも可能である。
【実施例２】
【００２４】
本実施例では、印字率生成手段１３により、印刷時の消費電流の負荷分散を行う例を説明する。装置に搭載する電源が安価品で容量が小さい時に有効な手段である。図５は実施例２における１ラインの印刷処理手順のフローチャート例である。図５のうち、図４で既に説明した同一の処理部分については、説明を省略する。
【００２５】
本実施例における印刷搬送装置１は、実施例１と同様の処理を実行する（２−１〜２−５ステップ）。そして、２−５ステップにおいて、ＣＰＵ１１は、印字率生成手段１３が、印字率信号のレベルを読み取り、当該ラインの印刷データの印字率信号レベルと、装置電源の容量の許容範囲を示す任意のしきい値を比較し、当該印字率信号レベルがそのしきい値よりも低いと判定した場合（２−５ステップ；Ｎｏ）、あらかじめ記憶領域１７に記憶されている装置電源の容量に耐えうると判断し、実施例１の場合と同様に、印刷ドット印加手段１４から印刷ヘッド４１に対して全ドット数を同時に印加するよう指示をする（２−６ステップ）。ＣＰＵ１１がこのような制御を行うことにより、実施例１の場合と同様に、１ラインあたりの印加時間を短縮することが可能となる。
【００２６】
一方、ＣＰＵ１１は、印字率生成手段１３が、当該印字率信号レベルがそのしきい値よりも高い（低くない）と判定した場合（２−５ステップ；Ｙｅｓ）、当該電源の容量を超過した負荷電流が発生すると判断し、印刷ヘッド４１の同時ドット印加数を、電源容量を超過しない負荷電流となるように分割して調整する（２−７ステップ）。
【００２７】
以上のように、印字率信号のレベルによって、印刷ヘッドの同時印加ドット数を調整し、印刷エネルギーの負荷分散を行うことで、当該装置に容量の小さい安価な電源を適用して実施例１と同様の処理を行い、その効果を得ることができる。印字率信号の判定レベルは、当該電源の容量に対応して調整しても良いし、印字率信号のレベル判定値を複数段階に設けることで、印刷エネルギーの負荷分散の仕方を複数パターン用意し、当該印刷装置の用途や当該電源の特性に合わせて印刷エネルギーを調整しても良い。
【００２８】
ここで、具体的な数値例として実施例２の効果を以下に説明する。出力電圧３０Ｖ、６Ａの電流容量をもつ電源と、駆動電圧３０Ｖ、1ドット１０００Ωの抵抗値である発熱体が４００ドット実装されている印刷ヘッドを備えた印刷装置において、印字率７５％の印刷データ、すなわち同時印加ドット数が３００ドットのドットデータを印刷する場合、３０Ｖ／（１０００Ω／３００ドット）＝９Ａのピーク負荷電流となり、電流容量６Ａの電源では耐えることができないが、当該装置の特性に調整された印字率生成手段１３によって、同時印加ドット数を１５０ドットに調整する。
【００２９】
具体的には、ＣＰＵ１１は、図６に示すように、同時印加ドット数が３００ドットのｎライン目の印刷データを印刷する場合、ピーク負荷電流と電流容量とを比較してピーク負荷電流が電流容量を超えないように、同時印加ドット数が１５０ドットずつとなるように、印字率生成手段１３に同時印加ドットする範囲をＡ１、Ａ２の２つの領域に分割させた上で印刷を実行する。つまり、印刷エネルギーの負荷を２分割することになり、ピーク負荷電流が４．５Ａとなるため、電源容量６Ａでも耐えうる動作となる。具体例として同時印加ドット数を２分割としたが、搬送モータの１進相処理時間内であればいくつでも分割させて良い。また、分割方法については、図６に示したように印加ドットの範囲で分割するほか、１つおきに印加ドットを印加するように交互に分割する等、電流容量を越えないように分割するのであれば、いずれの方法によって分割することとしてもよい。
【実施例３】
【００３０】
本実施例では、印字率生成手段１３により、ドット印加パルス幅の調整を行う例を説明する。印刷品質（例えば、蓄熱によって印刷時に生じ得る濃淡を抑制する場合）に有効な手段である。本実施例では、図７に示すように、印字率生成手段１３として複数の時定数回路（図７に示す例では２つ）を並列に実装し、各々異なる定数で回路を構成する。各時定数回路の定数は、予め過去の印刷結果の印字率信号レベルを把握するように調整され、用意した時定数回路の数に比例して、当該印刷ラインから、１ライン前、２ライン前、３ライン前、・・・、ｎライン前までの印刷データの印字率を把握することができる。また、時定数回路の数により、印刷ヘッドの特性に合わせて印加パルス幅の設定値をマトリクス化しても良い。
【００３１】
図８は実施例３における１ラインの印刷処理手順のフローチャート例である。図８のうち、図４で既に説明した同一の処理部分については、説明を省略する。印字率生成手段１３内の時定数回路の数は２つとし、1ライン前の印字率まで把握できるとする。
【００３２】
本実施例における印刷搬送装置１は、実施例１と同様に処理を実行する（３−１〜３−５ステップ）。そして、３−５ステップにおいて、ＣＰＵ１１は、印字率信号のレベルを読み取り、印字率信号レベルが当該ラインで“Ｌ”（発色なし）であるか否かを判定し（３−５ステップ）、印字率信号レベルが当該ラインで“Ｌ”であると判定した場合（３−５ステップ；Ｎｏ）、さらに1ライン前で印字率信号レベルが“Ｌ”であったか否かを判定する（３−６ステップ）。
【００３３】
ＣＰＵ１１は、さらに1ライン前で印字率信号レベルが“Ｌ”であったと判定した場合（３−６ステップ；Ｎｏ）、両ラインとも印字率が低く、印刷エネルギーによる蓄熱量が極めて小さいと判断し、当該印刷ヘッドの特性に合わせて各ドットに印加する印刷エネルギーを低減せずに調整する（印刷エネルギー設定４）。
【００３４】
一方、３−５ステップにおいて、印字率信号レベルが当該ラインで“Ｌ”であると判定し（３−５ステップ；Ｎｏ）、さらに1ライン前で印字率信号レベルが“Ｌ”ではなかった（すなわち“Ｈ”であった）と判定した場合（３−６ステップ；Ｙｅｓ）、当該ラインの印字率は低く、1ライン前の印字率は高いので、印刷エネルギーによる蓄熱量は小さいと判断し、当該印刷ヘッドの特性に合わせて各ドットに印加する印刷エネルギーを低減して調整する（印刷エネルギー設定３）。
【００３５】
また、ＣＰＵ１１は、３−５ステップにおいて、印字率信号レベルが当該ラインで“Ｌ”ではない（すなわち“Ｈ”である）と判定し（３−５ステップ；Ｙｅｓ）、さらに1ライン前で印字率信号レベルが“Ｌ”であったと判定した場合（３−７ステップ；Ｎｏ）、当該ラインの印字率は高く、1ライン前の印字率は低いので、印刷エネルギーによる蓄熱量は小さいと判断し、当該印刷ヘッドの特性に合わせて各ドットに印加する印刷エネルギーを低減して調整する（印刷エネルギー設定２）。
【００３６】
さらに、ＣＰＵ１１は、３−５ステップにおいて、印字率信号レベルが当該ラインで“Ｌ”ではない（すなわち“Ｈ”である）と判定し（３−５ステップ；Ｙｅｓ）、さらに1ライン前で印字率信号レベルが“Ｌ”ではないと判定した場合（３−７ステップ；Ｙｅｓ）、両ラインの印字率は高く、印刷エネルギーによる蓄熱量は極めて大きいと判断し、当該印刷ヘッドの特性に合わせて各ドットに印加する印刷エネルギーを大きく低減して調整する（印刷エネルギー設定１）。そして、印刷ドット印加手段１４は、調整された印刷エネルギーに従い、印刷パルス幅をセットする（３−８ステップ）。
【００３７】
以上のように、過去の印字率のパターンに合わせて印加パルス幅を最適化することで、発色が続くと増加する印刷ヘッドの蓄熱量を極力低減するので、蓄熱により印刷濃度が高くなって濃度むらが発生するといった問題を解決できる。また、印字率のピークに近い状態で印刷が続行されると、印字のための負荷エネルギーが高い状態で蓄積され続けると、予期しないタイミングで電源が落ちる等の危険性があるが、そのような場合には印加パルス幅を広げて平準化するので、電源にかかる負荷を軽減することができる。また、印刷ヘッドによって蓄熱特性は異なるため、印字率生成手段１３内の時定数回路の定数を調整することで、印字率のレベルを適正化し、印加パルス幅の調整を最適化することも可能である。
【００３８】
実施例１と実施例２では、印字率生成手段１３によって1ラインの印刷ドットデータの印字率を読み取り、印刷搬送速度や印刷エネルギー負荷分散の調整を行うものであるが、本実施例では、時定数回路の定数調整および時定数回路を複数設けることで、複数ラインの印刷ドットデータの印字率を読み取ることが可能となり、印刷ヘッドの蓄熱を考慮した印刷エネルギーの最適化、すなわち印刷品質の改善を実現できる。
【００３９】
上述したように、実施例１〜３の処理を行うことによって、高度な処理を必要とせず、安価でかつ印刷品質を改善する印刷搬送装置を実現することが可能となる。また、本発明はサーマルヘッドに限らず、ドット印刷を行う搬送装置において適用可能である。
【００４０】
なお、本発明は上記した実施例に限定されるものではなく、様々な変形例が含まれる。また、必ずしも説明した全ての構成を備えるものに限定されるものではない。また、実施例１〜３の構成の一部を他の実施例の構成に置き換えたり、ある実施例の構成に他の実施例の構成を加えることも可能である。また、各実施例の構成の一部について、他の構成の追加・削除・置換をすることが可能である。
【符号の説明】
【００４１】
１  印刷搬送装置
２  給紙機構部
２１  ロール状連続紙
２２  媒体
３  ロール紙切断機構部
４  印刷機構部
４１  印刷ヘッド
５  排出機構部
６  搬送ローラ
７  搬送モータ
１０  制御部
１１  ＣＰＵ
１２  印刷データ転送手段
１３  印字率生成手段
１４  印刷ドット印加手段
１５  搬送モータ駆動手段
１６  上位ホスト
１７  記憶領域。
【図１Ａ】
2014136373.tif 000003
【図１Ｂ】
2014136373.tif 000004
【図２】
2014136373.tif 000005
【図３】
2014136373.tif 000006
【図４】
2014136373.tif 000007
【図５】
2014136373.tif 000008
【図６】
2014136373.tif 000009
【図７】
2014136373.tif 000010
【図８】
2014136373.tif 000011